(57)【要約】【課題】捕獲対象の虫や設置場所によって段数の変更を容易に行うことができる捕虫器及び捕虫箱を提供すること。【解決手段】捕虫器１０は、表面２１に粘着領域５０が形成される板状の本体部２０と、本体部２０の表面２１側に、凸状に形成される突出片（表側嵌合部）２６と、本体部２０の裏面２２側に、突出片２６の形状に応じた凹状に形成される切欠き部（裏側嵌合部）２７と、を備え、第１の捕虫器１０の突出片２６に第２の捕虫器１０の切欠き部２７を嵌合した状態で、第１の捕虫器１０の粘着領域５０と第２の捕虫器１０の裏面２２側の間に隙間が形成される。【選択図】図２
2020068721.tif 000002
【特許請求の範囲】
【請求項１】
粘着領域によって捕獲対象の虫を捕獲する捕虫器であって、
表面に粘着領域が形成される板状の本体部と、
前記本体部の表面側に、凸状又は凹状に形成される表側嵌合部と、
前記本体部の裏面側に、前記表側嵌合部の形状に応じた凹状又は凸状に形成される裏側嵌合部と、を備え、
第１の前記捕虫器の前記表側嵌合部に第２の前記捕虫器の前記裏側嵌合部を嵌合した状態で、第１の前記捕虫器の前記粘着領域と第２の前記捕虫器の裏面側の間に隙間が形成される捕虫器。
【請求項２】
前記本体部の表面における前記粘着領域の外側には当該粘着領域を挟んで対向する少なくとも１対の突条部が形成され、
前記表側嵌合部は前記突条部から凸状に突出する突出片であり、
前記裏側嵌合部は前記本体部の端部に形成される切欠き部である請求項１に記載の捕虫器。
【請求項３】
前記突条部には、前記本体部の前記表面と当該本体部の外側を連通する連通口が形成される請求項２に記載の捕虫器。
【請求項４】
前記連通口は、前記裏側嵌合部に連通しており、
前記表側嵌合部は前記連通口と積層方向で重なる位置に形成される請求項３に記載の捕虫器。
【請求項５】
前記粘着領域には、当該粘着領域の外側から内側に向かう非粘着通路が形成される請求項１から４の何れかに記載の捕虫器。
【請求項６】
前記本体部の表面における前記粘着領域の外側に上下方向に貫通する排水孔が形成される請求項１から５の何れかに記載される捕虫器。
【請求項７】
請求項１〜６の何れかに記載の捕虫器を複数積層した積層体と、
前記積層体を収容するケースと、
を備える捕虫箱。
【発明の詳細な説明】
【技術分野】
【０００１】
本発明は、粘着領域によって捕獲対象の虫を捕獲する捕虫器に関する。
【背景技術】
【０００２】
従来、段ボール等の板状部材に粘着剤を塗布し、虫を捕捉する捕虫器が知られている。この種の捕虫器を開示するものとして例えば特許文献１がある。
【０００３】
特許文献１は、波状に加工された波状板状体と、粘着面を有するとともに粘着面を波状板状体側に向けて波状板状体の波状凸部に貼着する粘着体とを有し、粘着体の粘着面と波状板状体の波状凸部間に害虫侵入部を設ける害虫捕獲器について記載されている。この特許文献１には、害虫捕獲器の例として害虫捕獲器を積層させたものや害虫捕獲ボックスに害虫捕獲器を取り付けたものが示されている。
【先行技術文献】
【特許文献】
【０００４】
【特許文献１】特開２０１４−６４４９９号公報
【発明の概要】
【発明が解決しようとする課題】
【０００５】
コロニー（アリ塚等）を形成するような虫を捕獲対象とする場合において、特許文献１のように捕虫器を積層させたい場合がある。特許文献１に例示されるように捕虫器を積層することも考えられるが、配置場所や用途によって段数を変えたい場合もある。例えば、港湾等の屋外で海外への捕獲対象の虫の流出を防ぐ場合は、種々の配置場所に捕虫器を置く必要があり、配置場所に応じた段数で捕虫器を構成することが好ましい。
【０００６】
本発明は、捕獲対象の虫や設置場所によって段数の変更を容易に行うことができる捕虫器及び捕虫箱を提供することを目的とする。
【課題を解決するための手段】
【０００７】
本発明は、粘着領域によって捕獲対象の虫を捕獲する捕虫器であって、表面に粘着領域が形成される板状の本体部と、前記本体部の表面側に、凸状又は凹状に形成される表側嵌合部と、前記本体部の裏面側に、前記表側嵌合部の形状に応じた凹状又は凸状に形成される裏側嵌合部と、を備え、第１の前記捕虫器の前記表側嵌合部に第２の前記捕虫器の前記裏側嵌合部を嵌合した状態で、第１の前記捕虫器の前記粘着領域と第２の前記捕虫器の裏面側の間に隙間が形成される捕虫器に関する。
【０００８】
前記本体部の表面における前記粘着領域の外側には当該粘着領域を挟んで対向する少なくとも１対の突条部が形成され、前記表側嵌合部は前記突条部から凸状に突出する突出片であり、前記裏側嵌合部は前記本体部の端部に形成される切欠き部であることが好ましい。
【０００９】
前記突条部には、前記本体部の前記表面と当該本体部の外側を連通する連通口が形成されることが好ましい。
【００１０】
前記連通口は、前記裏側嵌合部に連通しており、前記表側嵌合部は前記連通口と積層方向で重なる位置に形成されることが好ましい。
【００１１】
前記粘着領域には、当該粘着領域の外側から内側に向かう非粘着通路が形成されることが好ましい。
【００１２】
前記本体部の表面における前記粘着領域の外側には前記本体部の厚み方向に貫通する排水孔が形成されることが好ましい。
【００１３】
また、本発明は、前記捕虫器を複数積層した積層体と、前記積層体を収容するケースと、を備える捕虫箱に関する。
【発明の効果】
【００１４】
本発明の捕虫器及び捕虫箱によれば、捕獲対象の虫や設置場所によって段数の変更を容易に行うことができる。
【図面の簡単な説明】
【００１５】
【図１】本発明の一実施形態に係る捕虫器によって構成される捕虫箱の斜視図である。
【図２】本実施形態の捕虫器を複数積層した積層体の斜視図である。
【図３】本実施形態の捕虫器を上方から見た斜視図である。
【図４】本実施形態の捕虫器を下方から見た斜視図である。
【図５】本実施形態の捕虫器の平面図である。
【図６】本実施形態の捕虫器の展開図である。
【発明を実施するための形態】
【００１６】
以下、本発明の好ましい実施形態について、図面を参照しながら説明する。図１は、本発明の一実施形態に係る捕虫器１０によって構成される捕虫箱１の斜視図である。図２は、本実施形態の捕虫器１０を複数積層した積層体２の斜視図である。
【００１７】
図１に示す捕虫箱１は、コロニーを形成する虫を主な捕獲対象としている。図１に示すように、本実施形態の捕虫箱１は、複数の捕虫器１０を積層した積層体２と、該積層体２を収容するケース３と、誘引剤（図示省略）と、を備える。誘引剤は、ケース３又は積層体２（捕虫器１０）の何れかに配置される。なお、本発明の捕獲対象の虫は、歩行性の虫（アリ、ヒアリ）や飛翔性の虫等であり、コロニーを形成する虫に限定されるわけではない。
【００１８】
ケース３は、両端に収容口４０を有する角筒状に形成される。ケース３は、例えば、プラダンボール等の板状部材を折り曲げて構成される。ケース３の収容口４０は、水平方向を向いており、収容口４０から捕虫器１０の積層体２を出し入れ可能になっている。収容口４０は両側に形成されており、何れの方向（図１の白抜きの矢印参照）でも積層体２を内側から外側に引き出すことができる。これによって、適宜のタイミングで容易に積層体２を交換することも可能となっている。
【００１９】
また、ケース３の側面には、後述する捕虫器１０の連通口２８を開放する開口部４１及び開口部４１の一部を閉鎖する蓋体４１１，４１２が形成される。使用時は、下側の蓋体４１１と上側の蓋体４１２を外側に開いて使用する。下側の蓋体４１１には、アンカーを固定するための固定孔４２０が形成される。図１の一点鎖線に示すように、閉鎖時は、蓋体４１１，４１２が開口部４１の一部を閉じる状態となる。これによって、持ち運び時に蓋体４１１，４１２が邪魔になることなく、可搬性が向上する。
【００２０】
図２に示すように、積層体２は、複数の捕虫器１０を上下方向に積み重ねて構成される。次に、積層体２を構成する捕虫器１０について説明する。
【００２１】
図３は、本実施形態の捕虫器１０を上方から見た斜視図である。図４は、本実施形態の捕虫器１０を下方から見た斜視図である。図５は、本実施形態の捕虫器１０の平面図である。なお、図３及び図４において後述する非粘着通路５１の図示は省略されている。
【００２２】
図３〜図５に示すように、捕虫器１０は、板状の本体部２０と、粘着領域５０と、突条部２５と、表側嵌合部としての突出片２６と、裏側嵌合部としての切欠き部２７と、連通口２８と、折返し部２９と、を含んで構成される。
【００２３】
本体部２０は、平面視において略正方形に形成される。本体部２０の表面２１における左右両側の端部には突条部２５が形成される。突条部２５は、表面２１から突出する山型の形状である。突条部２５の頂点部分が、積層される捕虫器１０の裏面２２を支持する支持部として機能する。
【００２４】
突条部２５の長手方向中央には突出片２６が形成される。突出片２６は、突条部２５の頂点部分から斜めに突出する。突出片２６の傾斜は、表面２１から離れるにつれて左右方向外側に向かう方向となっている。
【００２５】
切欠き部２７は、本体部２０の表面２１の端面に凹状に形成される。切欠き部２７は、捕虫器１０の積層方向で見たときに突出片２６に重なる位置に形成される。
【００２６】
連通口２８は、突条部２５における突出片２６と切欠き部２７の間に形成される。突出片２６は連通口２８の上部に位置し、切欠き部２７は連通口２８の下部に位置する。連通口２８は、捕虫器１０の外側と粘着領域５０が形成される捕虫器１０の内側とを連通しており、捕獲対象の虫が外側から入り込む進入口として機能する。
【００２７】
折返し部２９は、本体部２０における突条部２５が形成されない両辺に形成される。折返し部２９は、表面２１の両辺の全域にわたって形成される。
【００２８】
突条部２５の長手方向両側には押さえ片３０が形成される。押さえ片３０は、折返し部２９の裏面２２側に入り込み、突条部２５の状態を保持する。
【００２９】
本体部２０には表面２１に溜まった水を排出するための排水孔３１が形成される。排水孔３１は、突条部２５の下側に位置する。本実施形態では、本体部２０の４隅それぞれの近傍に合計４箇所の排水孔３１が形成される。
【００３０】
本体部２０の表面（一側の面）２１の中央に粘着領域５０が形成される。粘着領域５０は、粘着剤を塗布して略矩形に形成される。本実施形態では、ポリブデンが粘着剤として用いられる。ポリブデンによってアリ等の歩行性の虫を沈み込むように捕獲することができる。虫が沈み込んだ部分は、粘着領域５０の更に内側に別の虫を誘引する通路となり、粘着領域５０の範囲を有効活用できる。
【００３１】
粘着領域５０の中央には、厚みを有するリング状のスペーサ６０が配置される。スペーサ６０は、捕虫器１０を上に積層した場合に、上の捕虫器１０の裏面２２が下の捕虫器１０の粘着領域５０に接触する事態を防止する接触防止部材である。
【００３２】
粘着領域５０の内側には粘着剤が存在しない又は薄い非粘着通路５１が形成される。本実施形態の非粘着通路５１の形状は、平面視において粘着領域５０の外端から内側に延びており、粘着領域５０の内側に捕獲対象の虫を誘い込む誘導路として形成される。
【００３３】
なお、非粘着通路５１の形状は、事情に応じて適宜変更することができる。例えば、格子状の他にも、粘着領域５０の中心から放射状に外端部まで延びるように非粘着領域を形成したり、曲線を用いた円弧状や螺旋状に粘着領域を形成したりすることができる。
【００３４】
次に、本実施形態の捕虫器１０の製造方法について説明する。図６は、本実施形態の捕虫器の展開図である。なお、図６の段階では形状が異なる突条部２５等にも、同じ符号を付している。
【００３５】
本実施形態の捕虫器１０の製造方法は、板状部材にカット加工を施すカット工程と、カット加工を施した板状部材を折り込んで捕虫器１０を組み立てる組立工程と、粘着剤を塗布して粘着領域５０を形成する粘着形成工程と、を含む。
【００３６】
カット工程では、板状部材を所定の形状に裁断するとともに折り目の部分に切れ目を入れるカット加工を施す。このカット工程によって図６に示す板状部材１０ａとなる。
【００３７】
組立工程では、カット加工を施した板状部材１０ａに対して折り込み作業を行って図３〜図５に示す形状に組み立てる。粘着形成工程では、組立工程で組み立てられた捕虫器１０に対して粘着剤を塗布する。
【００３８】
本実施形態の粘着形成工程では、粘着剤を矩形に塗布した後、非粘着領域の作成に移行する。非粘着形成工程では、１又は複数の棒状の部材（図示省略）によって粘着領域５０の一部をこそぎ取ることにより、粘着領域５０の内側に非粘着通路５１が形成される。性差設備により、棒状の部材が所定の形状に移動することにより、生産者の所望の形状で非粘着通路５１が形成される。
【００３９】
次に、捕虫器１０によって構成される積層体２について説明する。積層体２は、捕虫器１０を上下方向に積層して構成される。本実施形態では、捕虫器１０の左右の突出片２６の位置に上に積層する別の捕虫器１０の左右の切欠き部２７の位置を合わせる。下側の捕虫器１０の突出片２６が上側の捕虫器１０の切欠き部２７に差し込まれることにより、下側の捕虫器１０によって上側の捕虫器１０が安定的に支持される。同じ手順で捕虫器１０を重ねていくことで積層体２が形成される。
【００４０】
複数の捕虫器１０を積層して形成された積層体２をケース３の内側に収納することで本実施形態の捕虫箱１となる。捕虫箱１は、屋外で使用することができる。例えば、フォークリフトのパレットに捕虫箱１を配置することができる。なお、フォークリフトのフォークを差し込む場所を捕虫箱１の配置場所として使用することができる。
【００４１】
上記実施形態によれば、以下のような効果を奏する。
本実施形態の捕虫器１０は、表面２１に粘着領域５０が形成される板状の本体部２０と、本体部２０の表面２１側に、凸状に形成される突出片（表側嵌合部）２６と、本体部２０の裏面２２側に、突出片２６の形状に応じた凹状に形成される切欠き部（裏側嵌合部）２７と、を備え、第１の捕虫器１０の突出片２６に第２の捕虫器１０の切欠き部２７を嵌合した状態で、第１の捕虫器１０の粘着領域５０と第２の捕虫器１０の裏面２２側の間に隙間が形成される。
【００４２】
これにより、粘着領域５０を有する捕虫器１０を積層方向（上下方向）に容易に積み重ねて積層体２を構成することができる。これによって、アリ塚のような上下方向に巣穴を作るような捕獲対象を効率的に捕獲することができる。また、捕虫器１０を積み重ねる数も容易に変更することができる。また、捕虫器１０の一部を新しいものに組み替えることも簡単にできる。
【００４３】
また、本実施形態の捕虫器１０において、本体部２０の表面２１における粘着領域５０の外側には当該粘着領域５０を挟んで対向する少なくとも１対の突条部２５が形成され、突出片２６は突条部２５から凸状に突出し、切欠き部２７は本体部２０の端部に形成される。これにより、下方の捕虫器１０が上方の捕虫器１０を安定的に支持することができ、複数段積層しても、倒れない状態とすることができる。
【００４４】
また、本実施形態の捕虫器１０において、突条部２５には、本体部２０の表面２１と当該本体部２０の外側を連通する連通口２８が形成される。これにより、連通口２８を通じて外側から粘着領域５０に容易に虫を誘導することができる。粘着領域５０側に入った虫は、突条部２５によって外側に出ようとする動きが妨げられるので、捕虫器１０の内側に進入した虫の捕捉率を効果的に向上させることができる。
【００４５】
また、本実施形態では、連通口２８は、切欠き部２７に連通しており、突出片２６は連通口２８と積層方向で重なる位置に形成される。これにより、切欠き部２７の一部を連通口２８に利用できるので、製造工程をシンプルにして製造コストの低減に寄与できる。
【００４６】
また、本実施形態では、粘着領域５０には、当該粘着領域５０の外側から内側に向かう非粘着通路５１が形成される。これにより、粘着領域５０の端部で捕獲された虫が障害となって内側に虫が入らなくなる事態を避けることができ、粘着領域５０の範囲を効率的に活用して虫を捕獲することができる。
【００４７】
また、本実施形態では、本体部２０の表面２１における粘着領域５０の外側には本体部２０の厚み方向に貫通する排水孔３１が形成される。これにより、捕虫器１０を上下方向に重ねた場合であっても、水を排水孔３１から段階的に下に逃がすことができ、粘着領域５０が形成される本体部２０の表面２１に水が溜まって虫を捕獲できなくなる事態の発生を効果的に防止できる。
【００４８】
また、本実施形態の捕虫箱１は、捕虫器１０を複数積層した積層体２と、積層体２を収容するケースと、を備える。これにより、ケース３によって捕虫器１０を保護できるので、耐久性を向上させることができる。また、粘着領域５０を有する捕虫器１０において、剥離紙を必要とすることなく、搬送することができる。
【００４９】
以上、本発明の好ましい実施形態について説明したが、本発明は、上述の実施形態に制限されるものではなく、適宜変更が可能である。
【符号の説明】
【００５０】
１  捕虫箱
２  積層体
３  ケース
１０  捕虫器
２５  突丈夫
２６  突出片（表側嵌合部）
２７  切欠き部（裏側嵌合部）
３１  排水孔
５０  粘着領域
５１  非粘着通路
【図１】
2020068721.tif 000003
【図２】
2020068721.tif 000004
【図３】
2020068721.tif 000005
【図４】
2020068721.tif 000006
【図５】
2020068721.tif 000007
【図６】
2020068721.tif 000008